(57)【要約】【課題】  接着剤組成物を紙片の縁部に塗布する際に台紙を必要とせず、しかも本体から蓋体を取り外す必要がなく、作業中に机等の上に置いても転がり落ちないようにする。【解決手段】  いわゆるスティックタイプの接着剤に用いられるものであって、固体状の接着剤組成物１５０が収納される本体１１０と、この本体１１０の接着剤組成物１５０を塗布する塗布部１１２を閉止する蓋体１２０とを備えており、前記蓋体１２０は本体１１０にスライド可能に取り付けられており、蓋体１２０がスライドすることで蓋体１２０と本体１１０から供給される接着剤組成物１５０との間に隙間Ｇが形成される接着剤用容器であって、前記蓋体１２０はスライドした状態で本体１１０の側面側へと移動可能となっている。【選択図】      図３
2009179331.tif 000002
【特許請求の範囲】
【請求項１】
接着剤組成物が収納される本体と、この本体の接着剤組成物を塗布する塗布部を閉止する蓋体とを具備しており、前記蓋体は本体にスライド可能に取り付けられており、蓋体がスライドすることで蓋体と本体から供給される接着剤組成物との間に隙間が形成される接着剤用容器において、前記蓋体はスライドした状態で本体の側面側へと移動可能となっていることを特徴とする接着剤用容器。
【請求項２】
請求項１記載の蓋体は、本体の塗布部に外嵌されるキャップ部と、このキャップ部から連設される一対のアーム部とを有し、前記本体の側面には、アーム部の内側に突設された突起が嵌まり込む溝部が形成されており、蓋体がスライドして前記キャップ部が塗布部から外れた状態で、前記キャップ部が前記突起を中心として本体の側面側へと移動可能となっていることを特徴とする接着剤用容器。
【請求項３】
接着剤組成物が収納される本体と、この本体の上端外周面に回転可能に嵌め込まれる略円筒形状の中間環状体と、前記本体の接着剤組成物を塗布する塗布部を閉止する蓋体とを具備しており、前記蓋体は中間環状体にスライド可能に取り付けられており、蓋体がスライドすることで蓋体と本体から供給される接着剤組成物との間に隙間が形成される接着剤用容器において、前記蓋体はスライドした状態で本体の側面側へと移動可能となっていることを特徴とする接着剤用容器。
【請求項４】
請求項３記載の蓋体は、本体の塗布部に外嵌されるキャップ部と、このキャップ部から連設される一対のアーム部とを有し、前記中間環状体の側面には、アーム部の内側に突設された突起が嵌まり込む溝部が形成されており、蓋体がスライドして前記キャップ部が塗布部から外れた状態で、前記キャップ部が前記突起を中心として本体の側面側へと移動可能となっていることを特徴とする接着剤用容器。
【請求項５】
前記キャップ部には、接着剤組成物が塗布される紙片等の滑りを良くするスリップ材と、このスリップ材の下側に配置される柔軟性を有するマット部とが設けられていることを特徴とする請求項２又は４記載の接着剤用容器。
【請求項６】
前記マット部は、スリップ材と接する面に凹凸が形成されていることを特徴とする請求項５記載の接着剤用容器。
【請求項７】
請求項１乃至請求項６記載の接着剤用容器と、この接着剤用容器の本体に収納された固体状の接着剤組成物とを具備しており、前記接着剤用容器には、接着剤組成物を本体の塗布部から突出させる繰り出し機構が設けられていることを特徴とする接着剤。
【請求項８】
請求項１乃至請求項６記載の接着剤用容器と、この接着剤用容器の本体に収納された流動体状の接着剤組成物とを具備しており、前記接着剤組成物は、接着剤用容器の塗布部から浸出することを特徴とする接着剤。
【発明の詳細な説明】
【技術分野】
【０００１】
本発明は、紙片を貼り付けたり、封筒のフラップを封着する際に使用する接着剤と、この接着剤のための接着剤用容器とに関する。
【背景技術】
【０００２】
いわゆるスティックタイプの接着剤は、固体状の接着剤組成物が収納された本体と、この本体の接着剤組成物を塗布する塗布部を閉止する蓋体とを有しており、接着剤組成物は本体から口紅のように繰り出し機構によって突出される。
かかる接着剤の紙片等の縁部への塗布は、紙片を不要な新聞紙や広告ビラ等の台紙の上に載せた状態で行う。これは、紙片の縁部からはみ出た接着剤組成物が机等に付着するのを防止するためである。
【０００３】
かかる際に、台紙を必要としない接着剤として、例えば、特開平１１−１４７３９５号公報、特開平１１−１１５３８７号公報等が創案されている。
【０００４】
【特許文献１】特開平１１−１４７３９５号公報
【特許文献２】特開平１１−１１５３８７号公報
【発明の開示】
【発明が解決しようとする課題】
【０００５】
特許文献１や２に記載されたものは、いわゆるスティックタイプの接着剤であって、蓋体に設けられたスリットから紙片の縁部を挿入し、その状態で接着剤組成物を突出させて紙片の縁部に当接させ、その状態で紙片を移動させることによって紙片の縁部に接着剤組成物を塗布させるものである。
【０００６】
しかしながら、これらのものでは、接着剤組成物が紙片等にうまく塗布できないという問題がある。
例えば、特許文献１記載のものでは、スリットに差し込んだ紙片の下側（接着剤組成物とは反対側）が浮いているため、塗布の際に紙片等が下側に凹んでしまい、その結果、塗布がうまくいかずしかも紙片等にしわが入ってしまう。
また、特許文献２記載のものでは、かかる問題を解消するものが提案されているが、そのためには蓋体を本体から取り外してから逆に付け替えるという手順を必要とする。
さらに、この種の接着剤は、略円柱形状に形成されているため、作業中に机等の上から転がり落ちることがある。
【０００７】
本発明は、上記事情に鑑みて創案されたもので、接着剤組成物を紙片の縁部に塗布する際に台紙を必要とせず、しかも本体から蓋体を取り外す必要がなく、作業中に机等の上に置いても転がり落ちない接着剤用容器及びそれを用いた接着剤を提供することを目的としている。
【課題を解決するための手段】
【０００８】
本発明に係る接着剤用容器は、接着剤組成物が収納される本体と、この本体の接着剤組成物を塗布する塗布部を閉止する蓋体とを備えており、前記蓋体は本体にスライド可能に取り付けられており、蓋体がスライドすることで蓋体と本体から供給される接着剤組成物との間に隙間が形成される接着剤用容器であって、前記蓋体はスライドした状態で本体の側面側へと移動可能となっている。
【０００９】
前記蓋体は、本体の塗布部に外嵌されるキャップ部と、このキャップ部から連設される一対のアーム部とを有し、前記本体の側面には、アーム部の内側に突設された突起が嵌まり込む溝部が形成されており、蓋体がスライドして前記キャップ部が塗布部から外れた状態で、前記キャップ部が前記突起を中心として本体の側面側へと移動可能となっている。
【００１０】
前記キャップ部には、接着剤組成物が塗布される紙片等の滑りを良くするスリップ材と、このスリップ材の下側に配置される柔軟性を有するマット部とが設けられている。
【００１１】
前記マット部は、スリップ材と接する面に凹凸が形成されている。
【００１２】
本発明に係る接着剤は、前記接着剤用容器と、この接着剤用容器の本体に収納された固体状の接着剤組成物とを備えており、前記接着剤用容器には、接着剤組成物を本体の塗布部から突出させる繰り出し機構が設けられている。
【００１３】
また、本発明に係る他の接着剤は、前記接着剤用容器と、この接着剤用容器の本体に収納された流動体状の接着剤組成物とを備えており、前記接着剤組成物は、接着剤用容器の塗布部から浸出するように構成されている。
【発明の効果】
【００１４】
本発明に係る接着剤用容器は、接着剤組成物が収納される本体と、この本体の接着剤組成物を塗布する塗布部を閉止する蓋体とを備えており、前記蓋体は本体にスライド可能に取り付けられており、蓋体がスライドすることで蓋体と本体から供給される接着剤組成物との間に隙間が形成される接着剤用容器であって、前記蓋体はスライドした状態で本体の側面側へと移動可能となっているので、台紙を使用することなく紙片等の縁部に接着剤組成物を塗布することが可能であり、かつ蓋体を本体の側面側へと移動させた状態で机等の上に置くと、安定的に保持されるので従来のもののように転がり落ちることがない。
【００１５】
また、蓋体のキャップ部には、接着剤組成物が塗布される紙片等の滑りを良くするスリップ材と、このスリップ材の下側に配置される柔軟性を有するマット部とが設けられているので、接着剤組成物が塗布される紙片等はスリップ材が設けられたマット部と接着剤組成物とで挟み込まれるので、従来のように塗布の際に紙片等が下側に凹み、その結果、塗布がうまくいかず紙片等にしわがよるということがない。
【発明を実施するための最良の形態】
【００１６】
図１は本発明の実施の形態に係る接着剤用容器を用いた接着剤の図面であって、接着剤用容器の蓋体を閉止した状態の概略的斜視図、図２は本発明の実施の形態に係る接着剤用容器を用いた接着剤の図面であって、接着剤用容器の蓋体を開けた使用状態の概略的斜視図、図３は本発明の実施の形態に係る接着剤用容器を用いた接着剤の図面であって、接着剤用容器の蓋体を開けた載置状態の概略的側面図、図４は本発明の実施の形態に係る接着剤用容器を用いた接着剤の図面であって、接着剤用容器の蓋体を閉止した状態の概略的正面図、図５は本発明の実施の形態に係る接着剤用容器の蓋体の概略的断面図、図６は本発明の実施の形態に係る接着剤用容器を用いた接着剤の使用状態を示す概略的側面図、図７は本発明の他の実施の形態に係る接着剤用容器を用いた接着剤の図面であって、接着剤用容器の蓋体を開けた使用状態の概略的斜視図、図８は本発明の他の実施の形態に係る接着剤用容器を用いた接着剤の使用状態を示す概略的側面図である。
【００１７】
本発明の実施の形態に係る接着剤用容器１００は、いわゆるスティックタイプの接着剤に用いられるものであって、固体状の接着剤組成物１５０が収納される本体１１０と、この本体１１０の接着剤組成物１５０を塗布する塗布部１１２を閉止する蓋体１２０とを備えており、前記蓋体１２０は本体１１０にスライド可能に取り付けられており、蓋体１２０がスライドすることで蓋体１２０と本体１１０から供給される接着剤組成物１５０との間に隙間Ｇが形成される接着剤用容器であって、前記蓋体１２０はスライドした状態で本体１１０の側面側へと移動可能となっている。
【００１８】
この種のスティックタイプの接着剤に用いられる接着剤用容器１００の本体１１０は、円柱形状の接着剤組成物１５０の軸芯に螺合する送りねじ（図示省略）と、この送りねじが連結される回転子１１１とを有している。前記回転子１１１は、本体１１０の下端に設けられている。すなわち、回転子１１１を回転させることによって、送りねじを回転させ、これに螺合する接着剤組成物１５０を本体１１０の先端の開口部である塗布部１１２から進退させるのである。回転子１１１と送りねじとで繰り出し機構が構成される。
【００１９】
また、前記本体１１０は、側面に一対の溝部１１３が形成されている。この溝部１１３は、１８０°対向する位置に設けられている。かかる溝部１１３は、口述する蓋体１２０の突起１２３が嵌まり込む部分であり、突起１２３が最も下方に位置する状態では蓋体１２０のキャップ部１２１が塗布部１１２を閉止し、最も上方に位置する状態では蓋体１２０のキャップ部１２１が本体１１０の側面側に位置することができるように、本体１１０の上端部から外れる位置にある。
【００２０】
前記蓋体１２０は、本体１１０の塗布部１１２に外嵌されるキャップ部１２１と、このキャップ部１２１から連設される一対のアーム部１２２とを有し、前記本体１１０の側面には、アーム部１２２の内側に突設された突起１２３が嵌まり込む溝部１１３が形成されており、蓋体１２０がスライドして前記キャップ部１２１が塗布部１１２から外れた状態で、前記キャップ部１２１が前記突起１２３を中心として本体１１０の側面側へと移動可能となっている。
【００２１】
前記キャップ部１２１は、平面視円形の略薄皿状に形成されており、内径が本体１１０の外径とほぼ等しく設定されている。このキャップ部１２１の内側には、図５に示すように、柔軟性を有する素材、例えば、天然ゴムやシリコン樹脂等からなるマット部１３０が嵌め込まれている。このマット部１３０は、キャップ部１２１内に嵌め込まれると、若干キャップ部１２１からはみ出す程度の厚さに設定されている。かかるマット部１３０の表面、すなわちキャップ部１２１に嵌め込まれた状態で露出する面には凹凸（図示省略）が設けられている。
【００２２】
なお、前記キャップ部１２１の上端周縁部はフランジ状に形成されている。これは、接着剤Ａを作業中に机等の上に置く場合の安定性を考慮したためである（図３参照）。
【００２３】
また、前記マット部１３０の凹凸が設けられた面には、接着剤組成物１５０が塗布される紙片等の滑りを良くするスリップ材１４０が貼着されている。このスリップ材１４０の表面には、滑りやすい素材、例えば、フッ素樹脂がコーティングされている。
前記マット部１３０に凹凸が設けられているのは、使用時、すなわち紙片等に接着剤組成物１５０を塗布する際の接触圧を低減するためであるし、スリップ材１４０に滑りやすい素材がコーティングされているのは、使用時に紙片等をスムーズに引っ張ることができるようにするためである。
【００２４】
前記キャップ部１２１からは一対のアーム部１２２が連設されている。このアーム部１２２は、先端内側に突起１２３が設けられており、前記溝部１１３に嵌まり込むようになっている。この突起１２３が溝部１１３に嵌まり込んでいることによって、蓋体１２０は本体１１０に対してスライド移動することができるようになっている。
なお、前記アーム部１２２は、円筒形状の本体１１０の外側面のカーブに沿うように形成されている。
【００２５】
上述したように構成された接着剤用容器１００を用いた接着剤Ａの使用方法について説明する。
不使用時には、接着剤組成物１５０は本体１１０の内部に格納されており、図１や図４に示すように、蓋体１２０のキャップ部１２１が本体１１０の塗布部１１２を閉止している。なお、蓋体１２０が本体１１０の塗布部１１２を閉止している状態では、キャップ部１２１の内部に設けられたスリップ材１４０には接着剤組成物１５０が接触しないように、接着剤組成物１５０の上面が本体１１０の塗布部１１２より下方に位置する。
【００２６】
使用時には、蓋体１２０を引き出して蓋体１２０のキャップ部１２１を本体１１０の塗布部１１２から離脱させ、蓋体１２０と本体１１０との間に隙間Ｇを形成する。この隙間Ｇは、接着剤組成物１５０を塗布すべき紙片Ｐを入れる部分となる。
【００２７】
紙片Ｐがアーム部１２２の基端部に接触するまで前記隙間Ｇから入れた後、回転子１１１を回転させて接着剤組成物１５０を繰り出して、図６に示すように紙片Ｐに接触させる。
この状態で紙片Ｐを図６の紙面方向手前側又は奥側へと移動させ、接着剤組成物１５０を紙片Ｐに塗布させる。
【００２８】
なお、紙片Ｐの裏面側、すなわち接着剤組成物１５０を塗布しない側はスリップ材１４０に接触しているため、紙片Ｐの移動はスムーズに行われる。
【００２９】
作業中に机等の上に置く場合には、蓋体１２０をさらに引き出して、突起１２３を中心として回動させ、本体１１０の側面側へと移動させる。すると、接着剤Ａは、図３に示すように、蓋体１２０のキャップ部１２１と本体１１０の下端部で支持した状態で安定的に維持される。
【００３０】
なお、図３に示した状態、すなわち蓋体１２０を全開にした状態では、従来のこの種のスティックタイプの接着剤と同様に使用することも可能である。
【００３１】
使用後は、繰り出し機構で接着剤組成物１５０を本体１１０の内部に引っ込ませ、蓋体１２０で塗布部１２１を閉止する。
【００３２】
なお、上述した実施の形態に係る接着剤用容器１００では、本体１１０に直接的に蓋体１２０をスライド可能に設けるとしたが、図７や図８に示すように、中間環状体１６０に設けるようにしてもよい。
【００３３】
この中間環状体１６０は、本体１１０の上端外周面に回転可能に嵌め込まれる略円筒形状の部材である。この中間環状体１６０に蓋体１２０のアーム部１２１の突起１２３（図７及び図８では図示されていない）が嵌まり込む溝部１６１が形成されているのである。
【００３４】
このように構成することにより、中間環状体１６０が本体１１０に対して回転可能になっているため、蓋体１２０も本体１１０に対して回転可能になる。紙片Ｐを蓋体１２０と本体１１０の接着剤組成物１５０との間の隙間Ｇに入れた状態で、紙片Ｐを移動させると、接着剤組成物１５０のうち紙片Ｐに接触している部分のみが塗布され消費される。
【００３５】
すなわち、接着剤組成物１５０は紙片Ｐに接触している部分のみが減って、接触していない部分に段差が生じるのである。このため、前記段差が生じないように中間環状体１６０を設け、蓋体１２０を中間環状体１６０とともに本体１１０及び接着剤組成物１５０に対して回転させることにより、紙片Ｐが接着剤組成物１５０に対して均等に接触して前記段差を形成しないようにするのである。
【００３６】
なお、上述した実施の形態では、接着剤組成物１５０は固体状であるとして説明したが、流動体状のものであってもよいことはいうまでもない。この場合の本体１１０の塗布部は、本体１１０の上端に取り付けられたスポンジ状のものになる。スポンジ状のものとするのは、流体状の接着剤組成物が浸出できるようにするためである。
【図面の簡単な説明】
【００３７】
【図１】本発明の実施の形態に係る接着剤用容器を用いた接着剤の図面であって、接着剤用容器の蓋体を閉止した状態の概略的斜視図である。
【図２】本発明の実施の形態に係る接着剤用容器を用いた接着剤の図面であって、接着剤用容器の蓋体を開けた使用状態の概略的斜視図である。
【図３】本発明の実施の形態に係る接着剤用容器を用いた接着剤の図面であって、接着剤用容器の蓋体を開けた載置状態の概略的側面図である。
【図４】本発明の実施の形態に係る接着剤用容器を用いた接着剤の図面であって、接着剤用容器の蓋体を閉止した状態の概略的正面図である。
【図５】本発明の実施の形態に係る接着剤用容器の蓋体の概略的断面図である。
【図６】本発明の実施の形態に係る接着剤用容器を用いた接着剤の使用状態を示す概略的側面図である。
【図７】本発明の他の実施の形態に係る接着剤用容器を用いた接着剤の図面であって、接着剤用容器の蓋体を開けた使用状態の概略的斜視図である。
【図８】本発明の他の実施の形態に係る接着剤用容器を用いた接着剤の使用状態を示す概略的側面図である。
【符号の説明】
【００３８】
１００    接着剤用容器
１１０    本体
１２０    蓋体
１２１    キャップ部
１２２    アーム部
１５０    接着剤組成物
Ａ        接着剤
Ｐ        紙片
Ｇ        隙間
【図１】
2009179331.tif 000003
【図２】
2009179331.tif 000004
【図３】
2009179331.tif 000005
【図４】
2009179331.tif 000006
【図５】
2009179331.tif 000007
【図６】
2009179331.tif 000008
【図７】
2009179331.tif 000009
【図８】
2009179331.tif 000010